(57)【要約】      （修正有）【課題】ルアーの構造に関するものであり、安定的に且つ遠くへルアーを飛ばせ、且つ、引き寄せる時、音を出さない釣果の格段上がるルアーを提供する。【解決手段】ルアーは魚状をしており、２つの対称の半身の部材を中央で溶着して用いる。ルアーの内部に中空部を設ける。中空部の前方には斜角度を持つ板等諸部材がバランス錘である鋼球に３つの接点で当る。鋼球であるバランス錘は上部１ヶ所、下部２ヶ所で角度を持った部材に当り、保持される。中空部の中央部ないし前方には磁石を設け、その３つの接点と磁石の力により保持されたバランス錘は、投げた時の衝撃により、適宜接点から後尾へ移動し、安定したルアーの空中での飛行を実現し、又、長距離に常にルアーを投げることが出来、使用者の釣果が確実に上がる。又、着水後鋼球は転がって３接点に戻り、そこでしっかり保持され、ルアーが引き寄せられる時震えても、ルアーは音を出さない。【選択図】図１
0003133373.tif 000002
【実用新案登録請求の範囲】
【請求項１】
ルアー本体の中に縦長の中空部を設け、中央部ないし前方部に鋼球であるバランス錘に適切なる角度で当る板である部材を設け、そのバランス錘が３接点で、その部材に接触し、その中空部には磁石を設け、釣竿でルアーを使用者が投げた場合、そのバランス錘がそこより後尾部へ移動可能で、且つ、着水後、鋼球であるそのバランス錘が、前方に転がり、再び３接点で保持されることが可能なことを特徴とする、釣に用いるルアー。
【考案の詳細な説明】
【技術分野】
【０００１】  本考案は釣りに用いるルアーに関し、より詳しくは、魚型擬似餌装置に関する。
【背景技術】
【０００２】  魚型擬似餌装置は今まで、種々あるが、本考案の様なものは無い。
従来のルアーは、本体を震わせることになり、釣果を高めるため、重心となる錘（以後バランス錘とする）は本体の前後に向け中央部ないし前方に設定され、ルアーが投げられた時、空気抵抗により、本体が回転して飛行中の姿勢が不安定になり、その結果飛距離が伸びず満足な釣果が得られなかった。【０００３】  釣果を大幅に増やすため、ルアー本体の中空部内部に錘が前後方向に自在に移動するように収容されていて、ルアーが投げられた時に空気抵抗を受け、回転して飛行中の姿勢が不安定になり、結果、飛距離が伸びない事を防ぐため、錘の重心位置を後方に移動させ空気抵抗を受けずに、安定姿勢で飛距離を延ばす細工が施されたルアーが現在主流になっている。
又、細工とはルアー本体の中空部内部が前後方向に長く形成されており、バランス錘が前後方向に移動自在に収容されていると共に、このバランス錘を保持できる手段として磁石が装着されている物や、下部に溝が設けられている物が一般的である。
着水後、バランス錘は引き寄せ時初めに起こる微妙な前方方向の力によって慣性が解かれ、前方方向へ移動し保持手段に保持されるため、重心はルアー本体の中央部ないし前部へ移行する。結果、引き寄せ時に尾を振り本体ルアーが震える。【０００４】  又、従来の重心移動型ルアーの欠点は、バランス錘が移動するため、生じてはならない摩擦を避ける僅かな隙間を設けてある。その為、ルアー引き寄せ時に本体が震えると、左右の壁やレールに当たり音が生じる。その音はスレていたり警戒心の強い魚には、ストレスがかかり釣れる確率が減少する。
【特許文献】  実用新案出願公告  平３−１５０２１には同じ目的のものがあるが、これより本考案は数段優れている。
【非特許文献】  各種パンフレット等はあると思うが、これと同様のものは全く無い。
【考案の開示】
【考案が解決しようとする課題】
【０００５】    本考案は安定した飛行と使用者が長距離に飛ばすことのでき、尚かつルアーが引き寄せ時に作用する左右の震えに於いても、バランス錘が音がしないルアーを提供する。
【課題を解決するための手段】
【０００６】  本考案は、ルアー本体の中に縦長の中空部を設け、中央部ないし前方に鋼球であるバランス錘に、適切なる角度で当る板である部材を設け、そのバランス錘が３接点でその部材に接触し、その前部には磁石を設け、磁力で固定させることにより、ルアー本体が引き寄せ時に作用する、左右の震えに於いても動く事は無く、よって音を出さなくする無音保持手段を考案し、釣果を上げる手段とする。
【考案の効果】
【０００７】  本考案は、泳ぐ機能を損なわずに広範囲に釣果を求めるため飛距離を延ばし、かつ警戒心をもつルアーフィッシングの対象となる魚をストレスの掛からない様に球体錘、即ちバランス錘の音を消し、釣果を大幅に増やせるようにすることにより、格段優れた釣果が得られる。
【考案を実施するための最良の形態】
【０００８】  本考案は外形が魚に似る略左右対称の流線型に形成された本体を備え、本体は左右の縦割りにされた一体のピースを樹脂等を用いて装着固定したものである。
本体１頭頂部には釣り糸結束部２が突設され、本体１の下部面及び最後部には３・４・５の釣針係止部が突設されている。【０００９】  本体１の前部下面には、略長方形の抵抗板６が突設され、ルアー本体の引き寄せの時、水の抵抗を受け尾を振らせるようになっている。【００１０】  本体１の内部には中空部が略全体にわたって形成され、この中空部は完全に密封されている。
中空部には磁石取付部７が中空部前寄りの位置に本体１と一体的に形成され、この磁石取付部は、保持手段の補助的役割を果たす磁石９が後部面に露出するように植設されている。
中空部後部には後部バランス錘止１０が直角に本体１と一体的に形成されバランス錘のストッパーになっている。【００１１】  保持手段の補助的役割を果たす磁石９と、後部バランス錘止１０との間には、左右バランス錘保持レール板１１、１２が互いに相対して平行し、側面中央断面下線１４下部４５度の角度で本体と一体的に形成され、左右合わせて９０度の溝が形成されたレール上をバランス錘１３が転がり、保持手段補助の磁石９に到達する。【００１２】  磁石９の後部面に接触せぬように、４５度の角度で本体１と一体に形成された上部バランス錘保持板８が、バランス錘の上部前よりに当り、図５、図６で示すバランス錘の（Ａ）、（Ｂ）、（Ｃ）の接点で固定され、本考案の目的である無音保持手段が実現する。
この時、上部バランス錘保持板８が４５度の角度で突設されることにより、球体形バランス錘が、保持板に対しての食い込みを防ぎ、尚且つ引き寄せ時に起こるルアーの振動に対しても、保持バランス錘の上側へ遊びを上部から押さえる役目を果たすのが重要である。【００１３】  ルアーは釣糸結束部２に結束させて釣竿に装着させる。
釣竿を勢いよく振ってルアーが投げられると、３接点（Ａ）、（Ｂ）、（Ｃ）で固定されていた保持時バランス錘１３が、保持を解除し、その自重による慣性により、後尾部に移動し、後部バランス錘止１０に当たり、飛行中そこに停止する。
飛行中バランス錘１３が本体１の後尾に位置しているため、その後部がルアーの先端となり、後ろ向きに飛び、ルアーは回転する事なく飛行方向に向いて適正な飛行姿勢を安定的に保持する事になる。
その結果、遠くまで飛ぶとともに、その飛距離が毎回均一化される。【００１４】  着水後、鋼球であるバランス錘は、引き寄せ時初めに起こる微妙な前方方向の力によって慣性が解かれ、転がって前に行き３接点で磁石９の力により、しっかり保持される。
ルアーが引き寄せられる時に、抵抗板６に水が当たりルアーは震えるが、バランス錘は３接点に磁石の力により、しっかり保持されているので、ルアー本体が震えても音を出さない。
魚型疑似餌装置である、ルアーの有効性を発揮する着水後の動作に於いて、音を出さずにバランス錘の鋼球が保持されることが本考案の最大の特徴である。
又、飛行は本体ルアーを回転させることがなく、適正な飛行姿勢を安定的に保持させ、その結果遠くまで飛ぶとともに、その飛距離は毎回均一化される。
これは優れた釣果を生むが、これも優れた特徴である。
【産業上の利用可能性】
【００１５】  本考案が実施されるとルアーが数段改善されており、釣果も著しく上がり、広く用いられることと思う。
【図面の簡単な説明】
【００１６】
【図１】本考案の実施例であるルアーを示す側面断面図である。
【図２】平面断面図である。
【図３】図１のａ−ａ線に沿う平面断面図である。
【図４】図１に伴う補足側面断面図である。
【図５】３接点を示す拡大側面断面図である。
【図６】３接点の拡大平面断面図である。
【符号の説明】
【００１７】１．本体
２．釣糸結束部
３．４．５．釣針係止部
６．抵抗板
７．磁石取付部
８．上部バランス錘保持板
９．磁石
１０．終部バランス錘止
１１．右下部バランス錘保持板
１２．左下部バランス錘保持板
１３．バランス錘（鋼球）
１４．側面中央断面線
（Ａ）．保持時バランス錘上部接点
（Ｂ）．保持時バランス錘右下部接点
（Ｃ）．保持時バランス錘左下部接点
【図１】
0003133373.tif 000003
【図２】
0003133373.tif 000004
【図３】
0003133373.tif 000005
【図４】
0003133373.tif 000006
【図５】
0003133373.tif 000007
【図６】
0003133373.tif 000008